(57)【要約】【課題】  安定したスライド操作を得ることができる磁気カード読取装置を提供する。【解決手段】  磁気カード読取装置１０は、ケース２１に開口するスリット状のカード通路２６と、カード通路２６の一方の内壁面を形成する固定壁と、カード通路２６の他方の内壁面の一部を形成する板状の回動部材３０と、回動部材３０を付勢する付勢部材３１と、回動部材３０に回転可能に支持されるローラであって、カード通路２６にその通路始端２６ａ側から差し込まれてスライド操作される磁気カードＣに対し、接触して回転する第１のローラ４１と、を備え、第１のローラ４１は、カード通路２６の奥側に向く軸方向端部４１ａ１がカード通路２６の開口側に向く軸方向端部４１ａ２よりも、カード通路２６の延在方向Ｐにおいて通路始端２６ａ側に位置するように、磁気カードＣのスライド方向に対して傾斜して設けられる。【選択図】  図５
2017004147.tif 000002
【特許請求の範囲】
【請求項１】
磁気カード読取装置であって、
ケースと、
前記ケースに開口し、磁気カードが挿入されてスライドされるスリット状のカード通路と、
前記カード通路の対向する内壁面のうち一方側の内壁面を形成するとともに、前記磁気カードの情報を読み取る磁気ヘッドが設けられた固定壁と、
前記カード通路の対向する内壁面のうち他方側の内壁面の一部を形成するとともに、基端部が前記ケースに回動可能に支持され、前記基端部と反対側の先端部が前記カード通路の前記開口側に向く板状の回動部材と、
前記回動部材を常時前記固定壁に近づく方向に付勢する付勢部材と、
前記回動部材に回転可能に支持され、前記カード通路にその通路始端側から差し込まれてスライド操作される前記磁気カードに対し、接触して回転する第１のローラと、を備え、
前記第１のローラの前記カード通路の奥側に向く軸方向端部が前記開口側に向く軸方向端部よりも、前記カード通路の延在方向において前記通路始端側に位置するように、前記第１のローラが前記磁気カードのスライド方向に対して傾斜して設けられることを特徴とする磁気カード読取装置。
【請求項２】
前記第１のローラに対向するように前記固定壁に設けられ、前記第１のローラとの間で前記磁気カードを挟む第２のローラをさらに備えることを特徴とする請求項１に記載の磁気カード読取装置。
【請求項３】
前記第１のローラが、前記磁気カードに対してグリップ性を有する第１の材料で形成され、
前記第２のローラが、前記磁気カードに対して滑り性を有する第２の材料で形成されることを特徴とする請求項２に記載の磁気カード読取装置。
【請求項４】
前記第２のローラの前記開口側に向く軸方向端部に、前記開口側に先細るテーパ部を有することを特徴とする請求項２又は３に記載の磁気カード読取装置。
【請求項５】
前記カード通路の前記通路始端側において、前記回動部材の前記先端部に前記磁気カードのスライド方向に直交する方向に回転可能に支持された第３のローラを備え、前記カード通路に差し込まれる前記磁気カードが前記第３のローラに当接することにより前記付勢部材の付勢力に抗して前記回動部材が前記固定壁から離れる方向に回動することを特徴とする請求項１から４のいずれか１項に記載の磁気カード読取装置。
【発明の詳細な説明】
【技術分野】
【０００１】
本発明は、自動販売機等の機器外部に配設された磁気カード読取装置に関し、特にスワイプ方式の磁気カード読取装置に関する。
【背景技術】
【０００２】
近年、金融機関や自動販売機等において、キャッシュレスや個人認証等を実現するためのカードとして、磁気カードが用いられている。磁気カードは、プラスチック基板表面に磁気ストライプが形成されたカードであり、磁気カードに対する情報の読み取りは、磁気ヘッドを備えた磁気カード読取装置によって行われる。
【０００３】
磁気カード読取装置におけるカードの読取方式にはいくつか種類があり、その一つには、銀行のＡＴＭ（Ａｕｔｏｍａｔｉｃ  Ｔｅｌｌｅｒ  Ｍａｃｈｉｎｅ）に用いられるもので、磁気カードを装置内部に引込み、装置内部に設けられた磁気ヘッドによって情報を読み取る方式が知られている。この方式は、磁気カードの姿勢や位置を搬送通路と搬送機構により規制するとともに、モータを用いて磁気カードを自動的に搬送することによって、高精度に磁気カードの情報を読み取ることができる利点がある一方、磁気カードの搬送中に装置内部に磁気カードが詰まったり、磁気カードの取り忘れが発生したりするおそれがある。
【０００４】
一方、搬送モータを用いない手動式の磁気カード読取方法には、磁気カードを装置に半分程押し込んだ状態で情報の読み取りを行うディップ方式や、磁気カードを装置に設けられたスリット部にスライドさせて読み取りを行うスワイプ方式等がある。
この内、特に、スワイプ方式の磁気カード読取装置は、装置に情報を読み取らせる際に、常に利用者が磁気カードを手で保持しているので、カード詰まりや取り忘れの危険性はない（例えば、特許文献１参照）。
【０００５】
特許文献１には、装置本体に直線的に形成されたスリット状のカード通路を備える磁気カード読取装置が開示される。この磁気カード読取装置では、磁気カードをカード通路に差し込み、カード通路において磁気カードをスライド操作することにより、装置本体の内部に設けられた磁気ヘッドが磁気カードの磁気情報を読み取る。
【０００６】
しかしながら、スワイプ方式の磁気カード読取装置では、磁気カードの姿勢や位置を十分に規制できないために、利用者による磁気カードのスライド操作（スワイプ動作）が安定せず、磁気ストライプと磁気ヘッドとの位置がずれて、カードの情報が読み取れないことがある。
【０００７】
特に、自販機などの機器に取り付けた磁気カード読取装置においては、磁気カードのスライド操作に不慣れな利用者がカードをスライド操作する場合や、磁気カード読取装置が利用者によっては操作しづらい高さに配設されている場合、利用者によるスライド操作が安定せず磁気カードの情報が読み取れない状態が発生しやすい。
【先行技術文献】
【特許文献】
【０００８】
【特許文献１】特開２０１３−７３４６０号公報
【発明の概要】
【発明が解決しようとする課題】
【０００９】
本発明は、このような事情に鑑みてなされたものであり、その目的は、利用者によるスライド操作を安定させることができる磁気カード読取装置を提供することにある。
【課題を解決するための手段】
【００１０】
（１）本発明は、磁気カード読取装置であって、ケースと、前記ケースに開口し、磁気カードが挿入されてスライドされるスリット状のカード通路と、前記カード通路の対向する内壁面のうち一方側の内壁面を形成するとともに、前記磁気カードの情報を読み取る磁気ヘッドが設けられた固定壁と、前記カード通路の対向する内壁面のうち他方側の内壁面の一部を形成するとともに、基端部が前記ケースに回動可能に支持され、前記基端部と反対側の先端部が前記カード通路の前記開口側に向く板状の回動部材と、前記回動部材を常時前記固定壁に近づく方向に付勢する付勢部材と、前記回動部材に回転可能に支持され、前記カード通路にその通路始端側から差し込まれてスライド操作される前記磁気カードに対し、接触して回転する第１のローラと、を備え、前記第１のローラの前記カード通路の奥側に向く軸方向端部が前記開口側に向く軸方向端部よりも、前記カード通路の延在方向において前記通路始端側に位置するように、前記第１のローラが前記磁気カードのスライド方向に対して傾斜して設けられることを特徴とする。
【００１１】
（２）本発明は、上記（１）の構成において、前記第１のローラに対向するように前記固定壁に設けられ、前記第１のローラとの間で前記磁気カードを挟む第２のローラをさらに備えることを特徴とする。
【００１２】
（３）本発明は、上記（２）の構成において、前記第１のローラが、前記磁気カードに対してグリップ性を有する第１の材料で形成され、前記第２のローラが、前記磁気カードに対して滑り性を有する第２の材料で形成されることを特徴とする。
【００１３】
（４）本発明は、上記（２）又は（３）の構成において、前記第２のローラの前記開口側に向く軸方向端部に、前記開口側に先細るテーパ部を有することを特徴とする。
【００１４】
（５）本発明は、上記（１）から（４）のいずれか１つの構成において、前記カード通路の前記通路始端側において、前記回動部材の前記先端部に前記磁気カードのスライド方向に直交する方向に回転可能に支持された第３のローラを備え、前記カード通路に差し込まれる前記磁気カードが前記第３のローラに当接することにより前記付勢部材の付勢力に抗して前記回動部材が前記固定壁から離れる方向に回動することを特徴とする。
【発明の効果】
【００１５】
本発明の磁気カード読取装置によれば、利用者によるスライド操作が安定し、高精度に磁気カードの情報を読み取ることができる。
【図面の簡単な説明】
【００１６】
【図１】本発明の実施形態に係る磁気カード読取装置の斜視図である。
【図２】図１から読取部を抜き出して示す読取部の斜視図である。
【図３】（ａ）は図２に示される読取部の正面図、（ｂ）は（ａ）に示される読取部の右側面図、（ｃ）は（ａ）に示される読取部の左側面図、（ｄ）は（ａ）に示される読取部の平面図、（ｅ）は（ａ）に示される読取部の底面図である。
【図４】（ａ）は図３（ａ）のＡ−Ａ線断面図であり回動部材が閉じ位置にある状態を示す図、（ｂ）は図３（ａ）のＡ−Ａ線断面図であり回動部材が開き位置にある状態を示す図である。
【図５】図３（ａ）のＢ−Ｂ線断面図である。
【図６】図５に示される読取部の斜視図である。
【図７】図３（ｃ）のＣ−Ｃ線断面図である。
【図８】図３（ａ）のＤ−Ｄ線断面図である。
【図９】実施形態に係る磁気カード読取装置の作用説明図であり、（ａ）は磁気カードを差し込む前の待機状態を示す図、（ｂ）は（ａ）のＥ−Ｅ線断面図である。
【図１０】実施形態に係る磁気カード読取装置の作用説明図であり、（ａ）は磁気カードを挿入した状態であって、スライド操作を始める前の状態を示す図、（ｂ）は（ａ）のＦ−Ｆ線断面図である。
【図１１】実施形態に係る磁気カード読取装置の作用説明図であり、（ａ）は磁気カードのスライド操作中の状態を示す図、（ｂ）は（ａ）のＧ−Ｇ線断面図である。
【図１２】（ａ）は第１変形例に係るローラの斜視図、（ｂ）は第１変形例に係るローラの側面図である。
【図１３】（ａ）は第２変形例に係るローラの斜視図、（ｂ）は第２変形例に係るローラの側面図である。
【図１４】（ａ）は第３変形例に係るローラの斜視図、（ｂ）は第３変形例に係るローラの側面図である。
【発明を実施するための形態】
【００１７】
以下、添付図面を参照して、本発明を実施するための形態（以下、実施形態という）について詳細に説明する。なお、実施形態の説明の全体を通して同じ要素には同じ番号を付している。また、実施形態において、「上」、「下」、「左」、「右」は、各々、磁気カード読取装置の正面側から奥側を見たときの方向を示す。
【００１８】
（磁気カード読取装置の全体構成）
図１に示すように、磁気カード読取装置１０は、装置本体１１と、装置本体１１の右側面及び正面右部を覆うシャッタ１２と、磁気カードＣを磁気カード読取装置１０の正面側から水平奥方向へ挿入するように設けられたカード差し込み口１３とを備える。そして、装置本体１１及びシャッタ１２の内側には、読取部２０が設けられる。磁気カード読取装置１０は、装置本体１１の背面に設けられた各種の取付け具によって、自動販売機等の取付け機器（図示省略）に取り付けることができる。
【００１９】
シャッタ１２は、装置本体１１の右側面及び正面右部を覆うよう、断面略Ｌ字形状に設けられており、装置本体１１に回動可能に支持されている。シャッタ１２には、図示しない付勢部材によってＸ方向に付勢力が常時作用している。シャッタ１２は、この付勢力により、待機時においては、その正面側端部１５がカード通路２６（後述）の前面を覆う。
【００２０】
図２に示すように、読取部２０は、上下方向に長い直方体状のケース２１を備える。図３（ａ）〜（ｄ）に示すように、ケース２１は、正面壁２２と、正面壁２２の左右両端に連なる左右の側壁２３Ｌ，２３Ｒと、正面壁２２及び側壁２３Ｌ，２３Ｒに囲われる空間の上方を閉塞する天壁２５とを備える。さらに、ケース２１には、正面壁２２側の中央に開口するとともに、上下方向に直線状に延在するスリット状のカード通路２６が形成される。
【００２１】
図４（ａ）に示すように、カード通路２６は、その対向する左右の内壁面のうち一方側（この例では、左側の内壁面）が、ケース２１に一体的に形成された固定壁２７により形成される。カード通路２６は、固定壁２７と回動部材３０（後述）の隙間に沿ってケース２１に直線状に形成され、上下方向に延在する。固定壁２７の奥側には、カード通路２６の底を形成する奥壁２７ａが一体に形成される。また、ケース２１の内部であって固定壁２７の下部には、読取面２８ａがカード通路２６に臨む磁気ヘッド２８（図３（ａ）参照）が設けられている。
【００２２】
さらに、図４（ａ）に示すように、読取部２０は、固定壁２７に対向するように設けられ、回動可能（フラップ動作可能）な板状の回動部材３０と、回動部材３０を付勢する付勢部材３１（図５参照）と、備える。また、読取部２０は、回動部材３０に回転可能に支持される第１のローラ４１と、この第１のローラ４１に対向するように固定壁２７に設けられる第２のローラ４２と、回動部材３０側から固定壁２７側に突出する第３のローラ４３とを備える。
【００２３】
図５に示すように、回動部材３０は、その基端部３２がケース２１に回動軸３３を介して回動可能に支持され、前記基端部３２と反対側の先端部３５がケース２１の正面側に向いており、回動軸３３を中心に回動可能（フラップ動作可能）である。回動部材３０は、少なくともカード通路２６の通路始端２６ａ側の磁気カードＣが差し込まれる位置から磁気ヘッド２８の配置位置にかけて設けられている。なお、本実施形態において回動部材３０の上下方向の長さは、磁気カードＣの長手方向の長さと同程度である。回動軸３３は、ケース２１に設けられる上下一対の軸受３６に両端部が支持される。
【００２４】
図６に示すように、付勢部材３１は、例えば、ねじりコイルばねで構成される。付勢部材３１は、その一端がケース２１に掛け止められ、その他端が回動部材３０に掛け止められており、これにより、固定壁２７に近づく方向（Ｘ方向）に回動部材３０を常時付勢する。
【００２５】
また、回動部材３０の下端には、下方に突出する回動規制用凸部３７が設けられ、ケース２１には、この回動規制用凸部３７に対向する受け部３８が設けられる。回動部材３０は、回動規制用凸部３７が受け部３８に当接することにより、その開き方向の最大の回動角度θ１（図４（ｂ）参照）が規制される。なお、本実施形態の回動角度θ１は、６°である。また、図６では、回動規制用凸部３７が受け部３８に当接する位置まで、回動部材３０がＹ方向に最大に開いた状態（回動角度θ１だけ回動した状態）を示している。
【００２６】
図６に示すように、カード通路２６は、その上部において、対向する左右の内壁面のうち他方側（この例では、右側の内壁面）の一部は、回動部材３０により形成される。カード通路２６では、その通路始端２６ａ側（天壁２５側）にてカード通路２６に差し込まれた磁気カードＣが、通路終端２６ｂに向けて下方にスライド操作されると、磁気カードＣの磁気ストライプ部が磁気ヘッド２８に摺接し、磁気ストライプ部に記録されている情報の読み取りが行われる。
【００２７】
第１のローラ４１は、回動部材３０に回転可能に支持され、カード通路２６をスライド操作される磁気カードＣの表面に接触しながら回転する。第１のローラ４１は、複数（この例では、４つ）設けられており、これら複数の第１のローラ４１は、カード通路２６の延在方向Ｐ（この例では、上下方向）に沿って等間隔に並んで配置される。
【００２８】
図５に戻る。図５に示すように、第１のローラ４１は、円柱状のローラ本体４１ａと、ローラ本体４１ａの中心に設けられ、回動部材３０に両端が支持されるローラ軸４１ｂと、を有する。ローラ本体４１ａは、回動部材３０の厚み方向に貫通する逃げ穴４１ｃに隙間を有して嵌合している。
【００２９】
また、第１のローラ４１は、ケース２１の奥側（カード通路の奥側）に向く軸方向端部４１ａ１（以下、「奥側端部４１ａ１」と称する）が、ケース２１の正面側（カード通路の開口側）に向く軸方向端部４１ａ２（以下、「手前側端部４１ａ２」と称する）よりも、カード通路２６の延在方向Ｐにおいて通路始端２６ａ側に位置するように、磁気カードＣのスライド方向に対して傾斜して設けられる。この例では、ローラ軸４１ｂの軸線４１ｂ１は、奥側端部４１ａ１が手前側端部４１ａ２よりも高くなるように、カード通路２６の奥行き方向（この例では、仮想水平線Ｈに沿う方向）に対して角度θだけ傾斜している。換言すれば、磁気カードＣと接触する第１のローラ４１の周面の回転方向（図５において矢印Ｚで示す）は、カード通路２６の延在方向Ｐ（この例では、仮想鉛直線Ｖに沿う方向）に対して角度θだけケース２１の奥側に傾斜している。角度θは、例えば、１°以上５°以下から好適に選択可能である。
【００３０】
また、第１のローラ４１のローラ本体４１ａは、磁気カードＣに対してグリップ性を有する第１の材料（例えば、各種のゴム材料など）で形成される。
【００３１】
図７に示すように、第２のローラ４２は、第１のローラ４１に対向しかつ第１のローラ４１と平行な姿勢で固定壁２７に設けられ、第１のローラ４１との間で磁気カードＣを挟む。第２のローラ４２は、複数（この例では、４つ）設けられており、これら複数の第２のローラ４２は、カード通路２６の延在方向Ｐ（この例では、上下方向）に沿って等間隔に並んで配置される。
【００３２】
図８に示すように、第２のローラ４２は、ローラ本体４２ａと、ローラ本体４２ａの中心に設けられ、回動部材３０に両端が支持されるローラ軸４２ｂと、を有する。ローラ本体４２ａは、回動部材３０の厚み方向に貫通する逃げ穴４２ｃに隙間を有して嵌合している。
【００３３】
また、第２のローラ４２は、第１のローラ４１と同様に、ケース２１の奥側に向く軸方向端部４２ａ１（以下、「奥側端部４２ａ１」と称する）がケース２１の正面側に向く軸方向端部４２ａ２（以下、「手前側端部４２ａ２」と称する）よりも、カード通路２６の延在方向Ｐにおいて通路始端２６ａ側に位置するように、傾斜して設けられる。この例では、ローラ軸４２ｂの軸線４２ｂ１は、奥側端部４２ａ１が手前側端部４２ａ２よりも高くなるように、カード通路２６の奥行き方向（この例では、仮想水平線Ｈに沿う方向）に対して角度θだけ傾斜している。また、ローラ本体４２ａは、その手前側端部４２ａ２にケース２１の正面側に先細るテーパ部４２ｄを有する。
【００３４】
また、第２のローラ４２のローラ本体４２ａは、磁気カードＣに対して滑り性を有する第２の材料（例えば、一般に従動ギアの材料に使用されるポリアセタール樹脂や、ポリアセタール樹脂と同等の滑り性を有するなど各種の樹脂材料など）で形成される。
【００３５】
図５に戻る。図５に示すように、第３のローラ４３は、カード通路２６の通路始端２６ａ付近の先端部３５において回動部材３０側から固定壁２７側に突出するように設けられる。第３のローラ４３は、ローラ本体４３ａと、ローラ本体４３ａの中心に設けられ、回動部材３０に両端が支持されるローラ軸４３ｂと、を有し、回動部材３０の先端部３５に磁気カードＣのスライド方向に直交する方向に回転可能に支持される。ローラ本体４３ａは、回動部材３０の先端部３５に形成された切り欠き４３ｃに隙間を有して嵌合している。第３のローラ４３において、ローラ軸４３ｂは、その軸線がカード通路２６の延在方向Ｐ（この例では、上下方向）に沿うように設けられる。
【００３６】
また、第３のローラ４３のローラ本体４３ａは、第２のローラ４２と同様に、磁気カードＣに対して滑り性を有する第２の材料（例えば、一般に従動ギアに使用されるポリアセタール樹脂や、ポリアセタール樹脂と同等の滑り性を有するなど各種の樹脂材料など）で形成される。
【００３７】
このように構成される第３のローラ４３は、カード通路２６に差し込まれる磁気カードＣによってローラ本体４３ａが側方に押圧されることにより、付勢部材３１の付勢力に抗して回動部材３０を固定壁２７から離れる方向（図６に示されるＹ方向）に回動させる作用をなす。
【００３８】
（読取部の作用）
次に、磁気カード読取装置１０における読取部２０の作用を図９〜図１１に基づいて詳細に説明する。
【００３９】
磁気カード読取装置１０の待機状態において、シャッタ１２（図１参照）はカード通路２６の前面を閉塞した状態である。また、図９（ｂ）に示すように、待機状態において、第１のローラ４１と第２のローラ４２とは当接又は接近した状態（挿入される磁気カードＣの厚さよりも狭い距離で対向した状態）にあり、さらに、第３のローラ４３は固定壁２７に近接（挿入される磁気カードＣの厚さよりも狭い距離で対向した状態）又は当接した状態である。
【００４０】
待機状態において、利用者が、カード差し込み口１３（図１参照）に磁気カードＣを差し込むと、シャッタ１２（図１参照）がＹ方向に押し広げられる。
【００４１】
さらに、図１０（ａ）に示すように、利用者が磁気カードＣをカード通路２６の通路始端２６ａ側に寄せてカード通路２６の奥行き方向（図９の矢印（１））に差し込むと、図１０（ｂ）に示すように、磁気カードＣの表面が第３のローラ４３のローラ本体４３ａに接触し、ローラ本体４３ａが側方に押圧される。これにより、第３のローラ４３が設けられた回動部材３０は、固定壁２７から離れる方向（矢印（２））に回動して、固定壁２７に対して回動部材３０が拡開した状態となる。その結果、第２のローラ４２に近接していた第１のローラ４１が、第２のローラ４２から離間して、第１のローラ４１と第２のローラ４２の間に開放部５１が形成される。
【００４２】
さらに、利用者が、磁気カードＣを開放部５１の奥壁２７ａに近接又は当接するまで差し込むと（矢印（３））、磁気カードＣは第２のローラ４２のテーパ部４２ｄを滑るようにして第１のローラ４１と第２のローラ４２の間に案内される。
【００４３】
そして、利用者が、磁気カードＣを通路終端２６ｂ方向（図１０（ａ）、矢印（４））にスライド操作すると、図１１（ｂ）に示すように、第３のローラ４３が磁気カードＣから外れて、回動部材３０が、付勢部材３１の付勢力によって固定壁２７に近づく方向（矢印（５））に戻るため、第１のローラ４１のローラ本体４１ａが磁気カードＣを挟む。
【００４４】
さらに利用者が、磁気カードＣを下方（図１１（ａ）、矢印（６））にスライド操作すると、第１のローラ４１と第２のローラ４２が磁気カードＣの表面を滑る又は回転しながら、磁気カードＣを下方に案内する。この際、第１のローラ４１及び第２のローラ４２が傾斜して設けられるため、磁気カードＣには、カード通路２６の奥壁２７ａ側に引き込まれる力が加わる。これにより、磁気カードＣが、奥壁２７ａから離れることなく、鉛直下方に直線的にスライド操作されるからスライド操作が安定し、磁気ヘッド２８は磁気カードＣの磁気ストライプ部に記録されている情報を高精度に読み取ることができる。
【００４５】
利用者がカード通路２６の通路終端２６ｂの下方からに磁気カードＣを引き抜く（図１１（ａ）、矢印（６））と、第１のローラ４１と第２のローラ４２とが近接又は当接した待機状態に戻る。
【００４６】
以上に述べた実施形態の効果について述べる。
本実施形態によれば、傾斜した第１のローラ４１が磁気カードＣをカード通路２６の奥側に引込みながら磁気カードＣを案内するため、磁気カードＣは、カード通路２６の延在方向Ｐに沿って真っ直ぐに移動する。これにより、利用者によるスライド操作のバラつき及び磁気カード読取装置１０の取付け位置によるスライド操作のバラつきを抑え、安定したスライド操作を得ることができる。また、磁気カードＣを第１のローラ４１と第２のローラ４２の間で挟むことにより、より安定的に磁気カードＣを案内することができる。
【００４７】
また、第１のローラ４１が、磁気カードＣに対してグリップ性を有する第１の材料で形成されるため、第１のローラ４１が磁気カードＣをカード通路２６の奥側にしっかりと引き込むことができる。一方、第２のローラ４２が磁気カードＣに対して滑り性を有する第２の材料で形成されるため、第１のローラ４１が磁気カードＣをしっかりとグリップし、かつ、磁気カードＣが第２のローラ４２に対して滑るように案内されるため、磁気カードＣをカード通路２６の奥側にしっかりと引き込みつつ、磁気カードＣを下方に円滑にスライドさせることができる。
【００４８】
さらに、磁気カードＣをカード通路２６に差し込む際、磁気カードＣが、第２のローラ４２のテーパ部４２ｄを滑るようにして第１のローラ４１と第２のローラ４２の間に案内される。これに対して、第２のローラを、テーパ部をもたない単なる円柱形状に形成すると、差し込まれた磁気カードＣが、円柱形状の第２のローラの端面に垂直に当たり易くなり、磁気カードＣがカード通路２６に円滑に差し込まれない場合がある。この点、実施形態では、磁気カードＣが、テーパ部４２ｄにより第１のローラ４１と第２のローラ４２の間に円滑に案内されるので、磁気カードＣをカード通路２６の奥まで容易に差し込むことができる。
【００４９】
加えて、カード通路２６の通路始端２６ａに第３のローラ４３を設けたので、カード通路２６に差し込まれる磁気カードＣによって、付勢部材３１の付勢力に抗して回動部材３０を固定壁２７から離れる方向に回動させることができる。このため、利用者は、第１のローラ４１と第２のローラ４２の間に形成される開放部５１を通じて、第１のローラ４１と第２のローラ４２の間に磁気カードＣを容易に差し込むことができる。
【００５０】
（ローラの変形例）
続いて、ローラの変形例を図１２〜図１４に基づいて説明する。
前述した第１のローラ４１、第２のローラ４２、第３のローラ４３は、ローラ本体の周面を滑らかな面で形成したものであるが、ローラ本体は、この他、埃を取り込み可能な、各種形状の溝を有するものでもよい。
【００５１】
図１２（ａ）及び（ｂ）に示すように、例えば、第１変形例に係るローラ６１は、周面６２ａ１の周方向に沿って形成される複数の環状の溝６１ａ２を有するローラ本体６１ａと、このローラ本体６１ａの中心に設けられるローラ軸６１ｂとを備えており、このようなローラ６１を第１のローラ４１、第２のローラ４２、第３のローラ４３として用いてもよい。
【００５２】
図１３（ａ）及び（ｂ）に示すように、例えば、第２変形例に係るローラ６２は、軸方向に沿って周面６２ａ１に形成される複数の直線状の溝６２ａ２を有するローラ本体６２ａと、このローラ本体６２ａの中心に設けられるローラ軸６２ｂとを備えており、このようなローラ６２を第１のローラ４１、第２のローラ４２、第３のローラ４３として用いてもよい。
【００５３】
図１４（ａ）及び（ｂ）に示すように、例えば、第３変形例に係るローラ６３は、螺旋状の溝６３ａ２を有するローラ本体６３ａと、このローラ本体６３ａの中心に設けられるローラ軸６３ｂとを備えており、このようなローラ６３を第１のローラ４１、第２のローラ４２、第３のローラ４３として用いてもよい。
【００５４】
このように溝６１ａ２，６２ａ２，６３ａ２を備えるローラ本体６１ａ，６２ａ，６３ａを用いることにより、埃を溝６１ａ２，６２ａ２，６３ａ２に取り込み、磁気カードＣと接触する周面６１ａ１，６２ａ１，６３ａ１への埃の付着を防止することができるため、ローラ本体６１ａ，６２ａ，６３ａの耐久性を高め、グリップ性や滑り性を長く維持することができる。なお、ローラ本体６１ａ，６２ａ，６３ａの近傍にブラシ６５（図１２（ｂ）参照）を設け、このブラシ６５によって溝６１ａ２，６２ａ２，６３ａ２に取り込んだ埃を掻き落とすことにより、ローラ本体６１ａ，６２ａ，６３ａの耐久性を効果的に高めることができる。この場合、ローラ本体６１ａ，６２ａ，６３ａにおいて、ブラシ６５を、カード通路側の部分６６（図１２（ｂ）参照）以外の部分６７（図１２（ｂ）参照）に対向させて設けることにより、カード通路以外の場所に埃を落とすことが可能となる。
【００５５】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またそのような変更又は改良を加えた形態も本発明の技術的範囲に含まれ得ることが、特許請求の範囲の記載から明らかである。
【産業上の利用可能性】
【００５６】
本発明は磁気ストライプを有する磁気カードの読取装置、例えば、クレジットカード、キャッシュカード及びポイントカード等の磁気カード読取装置に利用でき、屋外設置型の無人機器への取付けにも対応可能である。
【符号の説明】
【００５７】
１０      磁気カード読取装置
２０      読取部
２１      ケース
２６      カード通路
２６ａ    通路始端
２６ｂ    通路終端
２７      固定壁
２８      磁気ヘッド
３０      回動部材
３１      付勢部材
３２      基端部
３５      先端部
４１      第１のローラ
４１ａ１  奥側端部（奥側に向く軸方向端部）
４１ａ２  手前側端部（開口側に向く軸方向端部）
４２      第２のローラ
４２ａ２  手前側端部（開口側に向く軸方向端部）
４２ｄ    テーパ部
４３      第３のローラ
Ｃ        磁気カード
Ｐ        カード通路の延在方向
【図１】
2017004147.tif 000003
【図２】
2017004147.tif 000004
【図３】
2017004147.tif 000005
【図４】
2017004147.tif 000006
【図５】
2017004147.tif 000007
【図６】
2017004147.tif 000008
【図７】
2017004147.tif 000009
【図８】
2017004147.tif 000010
【図９】
2017004147.tif 000011
【図１０】
2017004147.tif 000012
【図１１】
2017004147.tif 000013
【図１２】
2017004147.tif 000014
【図１３】
2017004147.tif 000015
【図１４】
2017004147.tif 000016